(57)【要約】【課題】印刷データおよび転写データをより容易に作成することができるデータ作成装置を提供する。【解決手段】データ作成装置２０は、所定の画像６を表す画像データを記憶する記憶部３２と、所定の画像６において、インクヘッド７２からインクが吐出される領域である印刷領域Ｐを設定する印刷領域設定部３４と、所定の画像６において、箔転写ヘッド８１によって熱転写箔が転写される領域である転写領域Ｆを設定する転写領域設定部３８と、画像データおよび設定された印刷領域Ｐに基づいて、印刷データを作成する印刷データ作成部３６と、少なくとも画像データおよび設定された転写領域Ｆに基づいて、転写データを作成する転写データ作成部４２とを備えている。【選択図】図３
2020161085.tif 000002
【特許請求の範囲】
【請求項１】
被加工物にインクを吐出するインクヘッドと、前記被加工物に熱転写箔を転写する箔転写ヘッドとを有する加工システムにおいて、前記インクを吐出するための印刷データおよび前記熱転写箔を転写するための転写データを作成するデータ作成装置であって、
所定の画像を表す画像データを記憶する記憶部と、
前記所定の画像において、前記インクヘッドから前記インクが吐出される領域である印刷領域を設定する印刷領域設定部と、
前記所定の画像において、前記箔転写ヘッドによって前記熱転写箔が転写される領域である転写領域を設定する転写領域設定部と、
前記画像データおよび設定された前記印刷領域に基づいて、前記印刷データを作成する印刷データ作成部と、
少なくとも前記画像データおよび設定された前記転写領域に基づいて、前記転写データを作成する転写データ作成部と、を備えている、データ作成装置。
【請求項２】
前記印刷領域と前記転写領域とは重ならない、請求項１に記載のデータ作成装置。
【請求項３】
前記所定の画像には、所定の形状を表す輪郭線が含まれ、
前記印刷領域設定部は、前記輪郭線の外側に前記印刷領域を設定し、
前記転写領域設定部は、前記輪郭線の内側に前記転写領域を設定する、請求項１または２に記載のデータ作成装置。
【請求項４】
前記所定の画像には、所定の形状を表す輪郭線が含まれ、
前記印刷領域設定部は、前記輪郭線の内側に前記印刷領域を設定し、
前記転写領域設定部は、前記輪郭線の外側に前記転写領域を設定する、請求項１または２に記載のデータ作成装置。
【請求項５】
前記印刷領域の一部と前記転写領域の一部と重なる、請求項１に記載のデータ作成装置。
【請求項６】
前記印刷領域は、前記転写領域に包含される、請求項１に記載のデータ作成装置。
【請求項７】
前記転写領域は、前記印刷領域に包含される、請求項１に記載のデータ作成装置。
【請求項８】
前記転写データは、前記箔転写ヘッドによって前記熱転写箔を転写する際の転写条件データを含む、請求項１から７のいずれか一項に記載のデータ作成装置。
【請求項９】
前記所定の画像の外方に位置し、前記転写領域に対する相対的な位置関係が関連付けられた他の転写領域を追加する転写領域編集部を備え、
前記転写データ作成部は、前記画像データおよび設定された前記印刷領域および追加された前記他の転写領域に基づいて、前記転写データを作成する、請求項１から８のいずれか一項に記載のデータ作成装置。
【請求項１０】
前記インクヘッドと、
前記箔転写ヘッドと、
請求項１から９のいずれか一項に記載のデータ作成装置と、を備えている、加工システム。
【請求項１１】
被加工物にインクを吐出するインクヘッドと、前記被加工物に熱転写箔を転写する箔転写ヘッドとを有する加工システムにおいて、前記インクを吐出するための印刷データおよび前記熱転写箔を転写するための転写データを作成する方法であって、
所定の画像において、前記インクヘッドから前記インクが吐出される領域である印刷領域を設定すること、
前記所定の画像において、前記箔転写ヘッドによって前記熱転写箔が転写される領域である転写領域を設定すること、
前記所定の画像を表す画像データおよび設定された前記印刷領域に基づいて、前記印刷データを作成すること、
少なくとも前記画像データおよび設定された前記転写領域に基づいて、前記転写データを作成すること、を包含する、データ作成方法。
【請求項１２】
前記印刷領域と前記転写領域とは重ならない、請求項１１に記載のデータ作成方法。
【請求項１３】
前記所定の画像には、所定の形状を表す輪郭線が含まれ、
前記輪郭線の外側に前記印刷領域を設定し、
前記輪郭線の内側に前記転写領域を設定する、請求項１１または１２に記載のデータ作成方法。
【請求項１４】
前記所定の画像には、所定の形状を表す輪郭線が含まれ、
前記輪郭線の内側に前記印刷領域を設定し、
前記輪郭線の外側に前記転写領域を設定する、請求項１１または１２に記載のデータ作成方法。
【請求項１５】
前記印刷領域の一部と前記転写領域の一部と重なる、請求項１１に記載のデータ作成方法。
【請求項１６】
前記印刷領域は、前記転写領域に包含される、請求項１１に記載のデータ作成方法。
【請求項１７】
前記転写領域は、前記印刷領域に包含される、請求項１１に記載のデータ作成方法。
【請求項１８】
前記転写データは、前記箔転写ヘッドによって前記熱転写箔を転写する際の転写条件データを含む、請求項１１から１７のいずれか一項に記載のデータ作成方法。
【請求項１９】
前記所定の画像の外方に位置し、前記転写領域に対する相対的な位置関係が関連付けられた他の転写領域を追加すること、を包含し、
前記画像データおよび設定された前記印刷領域および追加された前記他の転写領域に基づいて、前記転写データを作成する、請求項１１から１８のいずれか一項に記載のデータ作成方法。
【発明の詳細な説明】
【技術分野】
【０００１】
本発明は、データ作成装置およびデータ作成方法に関する。
【背景技術】
【０００２】
従来から、被加工物にインクを吐出するインクヘッドを備え、インクジェット方式により被加工物に所定の印刷を行うインクジェットプリンタが知られている。また、意匠性の向上等を目的として、熱転写箔（熱転写シートともいう）を利用した熱転写法によって被加工物に装飾加工を行う熱転写装置が知られている。熱転写装置は、被加工物上に載置された熱転写箔を被加工物に転写する箔転写ヘッドを備えている。例えば、特許文献１には、箔転写ヘッドを備えたインクジェットプリンタが開示されている。
【先行技術文献】
【特許文献】
【０００３】
【特許文献１】特開２０１７−７２３７号公報
【発明の概要】
【発明が解決しようとする課題】
【０００４】
ところで、上述した箔転写ヘッドを備えたインクジェットプリンタや、通常のインクジェットプリンタおよび熱転写装置を用いて、被加工物に所定の印刷および熱転写箔を転写するとき、印刷を行う工程と転写を行う工程とは独立している。このため、印刷工程に用いる印刷データと、転写工程に用いる転写データとを別々に準備する必要がある。ここで、印刷データと転写データとを別々に準備するときには、印刷を行う領域である印刷領域と転写を行う領域である転写領域の設定が比較的困難であり、各データの作成に伴う負担が大きかった。
【０００５】
本発明はかかる点に鑑みてなされたものであり、その目的は、印刷データおよび転写データをより容易に作成することができるデータ作成装置を提供することである。
【課題を解決するための手段】
【０００６】
本発明に係るデータ作成装置は、被加工物にインクを吐出するインクヘッドと、前記被加工物に熱転写箔を転写する箔転写ヘッドとを有する加工システムにおいて、前記インクを吐出するための印刷データおよび前記熱転写箔を転写するための転写データを作成するデータ作成装置である。前記データ作成装置は、所定の画像を表す画像データを記憶する記憶部と、前記所定の画像において、前記インクヘッドから前記インクが吐出される領域である印刷領域を設定する印刷領域設定部と、前記所定の画像において、前記箔転写ヘッドによって前記熱転写箔が転写される領域である転写領域を設定する転写領域設定部と、前記画像データおよび設定された前記印刷領域に基づいて、前記印刷データを作成する印刷データ作成部と、少なくとも前記画像データおよび設定された前記転写領域に基づいて、前記転写データを作成する転写データ作成部と、を備えている。
【０００７】
本発明のデータ作成装置によると、印刷領域および転写領域を、所定の画像に基づいて設定することができる。即ち、記憶部に記憶された一つの画像データに基づいて、印刷領域および転写領域を設定することができる。そして、画像データ、印刷領域および転写領域に基づいて、印刷データおよび転写データが作成される。このように、一つの画像データに基づいて、印刷領域および転写領域をそれぞれ設定することができるため、印刷領域および転写領域を別個独立に設定する場合と比較して、印刷領域および転写領域の設定が容易である。この結果、印刷データおよび転写データの作成がより容易になる。
【発明の効果】
【０００８】
本発明によれば、印刷データおよび転写データをより容易に作成することができるデータ作成装置を提供することができる。
【図面の簡単な説明】
【０００９】
【図１】一実施形態に係る加工システムの構成例を示す概要図である。
【図２】被加工物に印刷および転写が施された加工成果物の例を示す模式図である。
【図３】一実施形態に係る加工システムの制御系のブロック図である。
【図４】一実施形態に係る加工システムによって加工成果物を製造する手順を示したフローチャートである。
【図５】所定の画像の一例である。
【図６】所定の画像における印刷領域の一例である。
【図７】所定の画像における転写領域の一例である。
【図８】所定の画像における転写領域に他の転写領域を追加した一例である。
【発明を実施するための形態】
【００１０】
以下、図面を参照しながら、本発明の一実施形態に係る加工システムを説明する。なお、ここで説明される実施形態は、当然ながら本発明を限定することを意図したものではない。また、同じ作用を奏する部材や部位には同じ符号を付し、重複する説明は適宜省略または簡略化する。
【００１１】
図１に示すように、加工システム１０は、データ作成装置２０と、被加工物５（図２参照）に所定の印刷を行う印刷装置７０と、被加工物５に熱転写箔を転写する熱転写装置８０とを備えている。データ作成装置２０は、印刷装置７０および熱転写装置８０とそれぞれ有線通信が可能にラインＬによって接続されている。なお、データ作成装置２０と、印刷装置７０および熱転写装置８０とは、それぞれ無線による通信も可能である。
【００１２】
被加工物５は、例えば、記録紙などのシートであってもよいし、携帯電話ケースなどの各種ケース、電子タバコなどの小型電子機器、キーホルダやフォトフレームやペンなどの部品小物、日用品、アクセサリなどの立体物であってもよい。被加工物５の素材は、普通紙、画用紙、和紙やインクジェット用印刷紙などの紙類はもちろんのこと、ポリ塩化ビニル（ＰＶＣ）、ポリエチレンテレフタレート（ＰＥＴ）、アクリル樹脂、ポリカーボネート（ＰＣ）、ポリスチレン、アクリロニトリル・ブタジエン・スチレン（ＡＢＳ）共重合体などの樹脂材料、金、銀、銅、プラチナ、真鍮、アルミ、鉄、チタン、ステンレス等の金属材料、綿、麻、絹等の天然繊維やナイロン、ポリエステル等の化学繊維等から構成された布、カーボン、陶器、セラミック、ガラス、ゴム、皮革、木材板などであってもよい。
【００１３】
図１に示すように、印刷装置７０は、被加工物５に所定の画像を印刷する装置である。印刷装置７０としては、例えば、インクジェット方式により被加工物５（図２参照）上に所定の印刷を行うインクジェットプリンタ等が挙げられる。印刷装置７０は、被加工物５が載置される載置台７１と、載置台７１に載置された被加工物５にインクを吐出するインクヘッド７２とを備えている。インクヘッド７２から吐出されるインクの材料は何ら限定されず、従来からインクジェットプリンタのインクの材料として用いられている各種の材料を使用することができる。上記インクは、例えば、ソルベント系（溶剤系）顔料インクや水性顔料インクであってもよいし、水性インク、あるいは、紫外線を受けて硬化する紫外線硬化型顔料インク等であってもよい。印刷装置７０は、後述する画像データに基づいて所定の画像６（図５参照）を被加工物５に印刷することができる。
【００１４】
図１に示すように、熱転写装置８０は、被加工物５（図２参照）に熱転写箔を転写する装置である。熱転写装置８０は、箔転写ヘッド８１を備えている。箔転写ヘッド８１は、被加工物５上に載置されたシート状の熱転写箔を押圧および加熱する。これにより、被加工物５に熱転写箔が転写される。箔転写ヘッド８１としては、ヒートペンやレーザーペンが挙げられる。ヒートペンは、それ自体が加熱可能に構成され、ヒートペンの熱によって熱転写箔を加熱する。レーザーペンは、所定の波長帯の光（レーザー光）を照射可能に構成され、光を熱転写箔に照射して光エネルギーを熱エネルギーに変換することで熱転写箔を加熱している。レーザーペンを用いる場合には、例えば、熱転写箔上に光吸収フィルムが載置される。光吸収フィルムとは、箔転写ヘッド８１から照射される所定の波長帯の光を効率よく吸収して、光エネルギーを熱エネルギーに変換可能なように構成されたシートである。熱転写箔としては、例えば、熱転写用に一般に市販されている熱転写箔を特に限定なく用いることができる。熱転写箔は、一般的には、基材と、装飾層と、接着層とがこの順に積層されている。熱転写箔は、例えば、金箔、銀箔等のメタリック箔や、ハーフメタリック箔、顔料箔、多色印刷箔、ホログラム箔、静電気破壊対策箔等を包含する。
【００１５】
図３に示すように、データ作成装置２０は、印刷装置７０および熱転写装置８０を制御する制御装置３０を有する。制御装置３０は、プログラムに従って所定の処理を実行する。制御装置３０は、印刷装置７０および熱転写装置８０に接続されている。データ作成装置２０は、インクを吐出するための印刷データおよび熱転写箔を転写するための転写データを作成する。制御装置３０は、作成された印刷データを印刷装置７０に送信する。制御装置３０は、作成された転写データを熱転写装置８０に送信する。本実施形態のデータ作成装置２０は、ノート型のパーソナルコンピュータであるが、例えば、デスクトップ型のパーソナルコンピュータ等であってもよい。データ作成装置２０は、ディスプレイ等からなる表示装置２２（図１も参照）と、キーボードやタッチパネル、マウス等からなる入力装置２４（図１も参照）とを備えている。表示装置２２は、画像データに基づく所定の画像６（図５参照）等を表示する。
【００１６】
制御装置３０は、典型的にはコンピュータである。制御装置３０は、例えば、外部の端末から画像データを受信するインターフェイス（Ｉ／Ｆ）と、制御プログラムの命令を実行する中央演算処理装置（ＣＰＵ：central processing unit）と、ＣＰＵが実行するプログラムを格納したＲＯＭ（read only memory）と、プログラムを展開するワーキングエリアとして使用されるＲＡＭ（random access memory）と、上記プログラムや各種データを格納するメモリなどの記憶装置とを備えている。
【００１７】
図３に示すように、制御装置３０は、記憶部３２と、印刷領域設定部３４と、印刷データ作成部３６と、転写領域設定部３８と、転写領域編集部４０と、転写データ作成部４２と、を備えている。制御装置３０の各部の機能は、プログラムによって実現されている。このプログラムは、例えばＣＤやＤＶＤなどの記録媒体から読み込まれる。なお、このプログラムは、インターネットを通じてダウンロードされるものであってもよい。また、制御装置３０の各部の機能は、プロセッサおよび／または回路などによって実現可能なものであってもよい。なお、これら各部の具体的な機能については後述する。
【００１８】
次に、印刷装置７０および熱転写装置８０を用いて被加工物５を加工する手順について説明する。図４は、一実施形態に係る加工成果物５Ｘ（図２参照）を製造する手順を示したフローチャートである。以下の例では、被加工物５としての携帯電話ケースを加工する場合について説明する。また、ここでは、印刷装置７０による印刷を被加工物５に施した後に、熱転写装置８０による熱転写箔の転写を被加工物５に施す場合について説明する。
【００１９】
まず、ステップＳ１０において、データ作成装置２０に画像データを取り込む。取り込まれた画像データは、記憶部３２に記憶される。画像データは、所定の画像６（図５参照）を表す。所定の画像６は、例えば、二次元の画像である。所定の画像６は、複数の第１オブジェクト７Ａ〜第７オブジェクト７Ｇを有する。図５に示す例では、所定の画像６は、最も外側に位置する第１枠として識別される第１オブジェクト７Ａと、第１枠の内側に位置する第２枠として識別される第２オブジェクト７Ｂと、三日月のイラストとして識別される第３オブジェクト７Ｃと、小さな星のイラストとして識別される第４オブジェクト７Ｄと、星の軌跡のイラストとして識別される第５オブジェクト７Ｅと、大きな星のイラストとして識別される第６オブジェクト７Ｆと、大きな星の内側に位置する星のイラストとして識別される第７オブジェクト７Ｇと、を含む。第１オブジェクト７Ａ〜第７オブジェクト７Ｇは、それぞれ、所定の形状を表す輪郭線８Ａ〜８Ｇを含む。例えば、輪郭線８Ｄは、星形である。所定の画像６は、作業者がデータ作成装置２０または外部のコンピュータにインストールされたソフトウェアを用いることによって任意に作成することができる。即ち、作業者は複数のオブジェクトを有する所望の画像を作成することができる。オブジェクトには、イラスト、写真、文字、図形、記号等が含まれる。
【００２０】
次に、ステップＳ２０において、印刷領域設定部３４は、所定の画像６において、印刷領域Ｐ（図６参照）を設定する。印刷領域Ｐは、インクヘッド７２（図１参照）からインクが吐出される領域である。図６に示す例では、印刷領域Ｐは斜線で表されている。本実施形態では、印刷領域Ｐは、第１印刷領域ＰＡと第２印刷領域ＰＢと第３印刷領域ＰＣとを含む。印刷領域設定部３４は、例えば、第２オブジェクト７Ｂの輪郭線８Ｂの外側に第１印刷領域ＰＡを設定する。印刷領域設定部３４は、例えば、第３オブジェクト７Ｃの輪郭線８Ｃ、第４オブジェクト７Ｄの輪郭線８Ｄ、第５オブジェクト７Ｅの輪郭線８Ｅおよび第６オブジェクト７Ｆの輪郭線８Ｆの外側に第２印刷領域ＰＢを設定する。印刷領域設定部３４は、例えば、第７オブジェクト７Ｇの輪郭線８Ｇの内側に第３印刷領域ＰＣを設定する。印刷領域Ｐの設定は、例えば、表示装置２２に表示された所定の画像６を見ながら作業者によって行われる。
【００２１】
次に、ステップＳ３０において、印刷データ作成部３６は、記憶部３２に記憶された画像データおよび印刷領域設定部３４によって設定された印刷領域Ｐに基づいて、印刷データを作成する。印刷データ作成部３６は、画像データを印刷装置７０において処理可能なデータ（例えばラスター形式により表されるラスターデータ）に変換して、印刷装置７０おいて用いられる印刷データを作成する。印刷データは、インクヘッド７２によって被加工物５に印刷する際の印刷条件データを含む。印刷条件データには、例えば、インクヘッド７２の移動速度、インクヘッド７２から吐出されるインクの大きさや濃度、被加工物５の搬送速度等が含まれる。
【００２２】
次に、ステップＳ４０において、データ作成装置２０は、作成された印刷データを印刷装置７０に送信する。印刷装置７０は、印刷データに基づいてインクヘッド７２等を制御して、被加工物５の所定の位置にインクを吐出させて印刷を完了させる。なお、ステップＳ４０の前に、印刷装置７０の載置台７１に被加工物５が予め載置される。
【００２３】
次に、ステップＳ５０において、転写領域設定部３８は、所定の画像６において、転写領域Ｆ（図７参照）を設定する。転写領域Ｆは、箔転写ヘッド８１によって熱転写箔が転写される領域である。図７に示す例では、転写領域Ｆは斜線で表されている。本実施形態では、転写領域Ｆは、第１転写領域ＦＡと第２転写領域ＦＢと第３転写領域ＦＣと第４転写領域ＦＤとを含む。転写領域設定部３８は、例えば、第３オブジェクト７Ｃの輪郭線８Ｃの内側に第１転写領域ＦＡを設定する。転写領域設定部３８は、例えば、第４オブジェクト７Ｄの輪郭線８Ｄの内側に第２転写領域ＦＢを設定する。転写領域設定部３８は、例えば、第５オブジェクト７Ｅの輪郭線８Ｅの内側に第３転写領域ＦＣを設定する。転写領域設定部３８は、例えば、第６オブジェクト７Ｆの輪郭線８Ｆの内側に第４転写領域ＦＤを設定する。本実施形態では、輪郭線８Ｃ、輪郭線８Ｄ、輪郭線８Ｅおよび輪郭線８Ｆは、転写領域Ｆに含まれる。また、転写領域Ｆと印刷領域Ｐとは重ならない。転写領域Ｆの設定は、例えば、表示装置２２に表示された所定の画像６を見ながら作業者によって行われる。
【００２４】
次に、ステップＳ６０において、転写領域編集部４０は、所定の画像６の外方に位置する他の転写領域ＦＸ（図８参照）を追加する。他の転写領域ＦＸには、転写領域Ｆに対する相対的な位置関係が関連付けられている。図８に示す例では、他の転写領域ＦＸは「ｓｕｍｍｅｒ−ｎｉｇｈｔ」の文字列として識別される他のオブジェクト７Ｘに設定される。なお他の転写領域ＦＸは、イラスト、写真、図形、記号等に設定されてもよい。
【００２５】
次に、ステップＳ７０において、転写データ作成部４２は、記憶部３２に記憶された画像データおよび転写領域設定部３８によって設定された転写領域Ｆおよび転写領域編集部４０によって追加された他の転写領域ＦＸに基づいて、転写データを作成する。なお、転写領域編集部４０によって他の転写領域ＦＸが追加されていない場合には、転写データ作成部４２は、記憶部３２に記憶された画像データおよび転写領域設定部３８によって設定された転写領域Ｆに基づいて、転写データを作成する。転写データ作成部４２は、転写データを熱転写装置８０において処理可能なデータ（例えばベクター形式により表されるベクターデータ）に変換して、熱転写装置８０おいて用いられる転写データを作成する。転写データは、箔転写ヘッド８１によって被加工物５に熱転写箔を転写する際の転写条件データを含む。転写条件データには、例えば、箔転写ヘッド８１の移動速度、箔転写ヘッド８１から照射される光の光量等が含まれる。
【００２６】
次に、ステップＳ８０において、データ作成装置２０は、作成された転写データを熱転写装置８０に送信する。熱転写装置８０は、転写データに基づいて箔転写ヘッド８１等を制御して、被加工物５の所定の位置に熱転写箔を転写させる。これにより、図２に示すような加工成果物５Ｘが製造される。なお、ステップＳ８０の前に、熱転写装置８０に設けられた治具（図示せず）には、印刷が完了した被加工物５および被加工物５の上に熱転写箔が予め載置される。
【００２７】
以上のように、本実施形態のデータ作成装置２０によると、印刷領域Ｐおよび転写領域Ｆを、所定の画像６に基づいて設定することができる。即ち、記憶部３２に記憶された一つの画像データに基づいて、印刷領域Ｐおよび転写領域Ｆを設定することができる。そして、画像データ、印刷領域Ｐおよび転写領域Ｆに基づいて、印刷データおよび転写データが作成される。このように、一つの画像データに基づいて、印刷領域Ｐおよび転写領域Ｆをそれぞれ設定することができるため、印刷領域Ｐおよび転写領域Ｆを別個独立に設定する場合と比較して、印刷領域Ｐおよび転写領域Ｆの設定が容易である。この結果、印刷データおよび転写データの作成がより容易になる。
【００２８】
本実施形態のデータ作成装置２０によれば、印刷領域Ｐと転写領域Ｆとは重ならない。これにより、インクヘッド７２から吐出されるインクは被加工物５に直接着弾するため、インクが熱転写箔上に着弾する場合と比較してインクがよりよく定着する。また、熱転写箔は被加工物５に直接転写されるため、熱転写箔がインク上に転写される場合と比較して熱転写箔がよりよく被加工物５に定着する。
【００２９】
本実施形態のデータ作成装置２０によれば、所定の画像６には、所定の形状を表す輪郭線８Ａ〜８Ｇが含まれ、印刷領域設定部３４は、例えば、輪郭線８Ｃの外側に印刷領域ＰＢを設定し、転写領域設定部３８は、例えば、輪郭線８Ｃの内側に転写領域ＦＡを設定する。このように、所定の画像６に含まれる輪郭線８Ｃを基準とすることによって、容易に印刷領域Ｐおよび転写領域Ｆを設定することができる。
【００３０】
本実施形態のデータ作成装置２０によれば、転写データは、箔転写ヘッド８１によって熱転写箔を転写する際の転写条件データを含む。これにより、被加工物５の状態に応じた適切な転写条件を設定することができるため、被加工物５により高品質に熱転写箔を転写することができる。
【００３１】
本実施形態のデータ作成装置２０は、所定の画像６の外方に位置し、転写領域Ｆに対する相対的な位置関係が関連付けられた他の転写領域ＦＸを追加する転写領域編集部４０を備えている。転写データ作成部４２は、画像データおよび設定された転写領域Ｆおよび追加された他の転写領域ＦＸに基づいて、転写データを作成する。このように、所定の画像６の外方にも他の転写領域ＦＸを追加することができるため、加工成果物５Ｘの意匠性を向上させることができる。
【００３２】
以上、本発明の好適な実施形態について説明した。しかし、上述の実施形態は例示に過ぎず、本発明は他の種々の形態で実施することができる。
【００３３】
上述した実施形態では、印刷領域設定部３４は、輪郭線の外側に印刷領域Ｐを設定し、転写領域設定部３８は、輪郭線の内側に転写領域Ｆを設定していたが、これに限定されない。印刷領域設定部３４は、輪郭線の内側に印刷領域Ｐを設定し、転写領域設定部３８は、輪郭線の外側に転写領域Ｆを設定してもよい。このように、所定の画像６に含まれる輪郭線を基準とすることによって、容易に印刷領域Ｐおよび転写領域Ｆを設定することができる。
【００３４】
上述した実施形態では、転写領域Ｆと印刷領域Ｐとは重ならないように設定されているが、これに限定されない。転写領域Ｆと印刷領域Ｐとは少なくとも一部が重なるように設定されてもよい。例えば、転写領域Ｆの一部と印刷領域Ｐの一部とが重なる場合には、加工システム１０は、印刷装置７０による被加工物５への印刷が完了した後に、熱転写装置８０による被加工物５への熱転写を行ってもよい。即ち、インクヘッド７２から吐出されたインク上に熱転写箔を転写することによって、加工成果物５Ｘの一部では所定の画像上に熱転写箔が転写されていてもよい。あるいは、加工システム１０は、熱転写装置８０による被加工物５への熱転写が完了した後に、印刷装置７０による被加工物５への印刷を行ってもよい。即ち、被加工物に転写された熱転写箔上にインクヘッド７２からインクを吐出することによって、加工成果物５Ｘの一部では熱転写箔上に所定の画像が形成されていてもよい。
【００３５】
また、例えば、印刷領域Ｐが転写領域Ｆに包含される場合（即ち印刷領域Ｐの全体が転写領域Ｆに含まれる場合）には、加工システム１０は、印刷装置７０による被加工物５への印刷が完了した後に、熱転写装置８０による被加工物５への熱転写を行ってもよい。即ち、インクヘッド７２から吐出されたインクの全体に熱転写箔を転写することによって、加工成果物５Ｘに形成された所定の画像の全体が熱転写箔に覆われていてもよい。あるいは、例えば、転写領域Ｆが印刷領域Ｐに包含される場合（即ち転写領域Ｆの全体が印刷領域Ｐに含まれる場合）には、加工システム１０は、熱転写装置８０による被加工物５への熱転写が完了した後に、印刷装置７０による被加工物５への印刷を行ってもよい。即ち、被加工物５に転写された熱転写箔の全体にインクヘッド７２からインクを吐出することによって、加工成果物５Ｘに転写された熱転写箔の全体が所定の画像に覆われていてもよい。
【００３６】
上述した実施形態では、被加工物５への印刷が完了した後に転写領域Ｆが設定されているが、これに限定されない。転写領域Ｆの設定は、被加工物５への印刷の前に行ってもよい。例えば、転写領域Ｆの設定は、印刷領域Ｐの設定と同時に行ってもよい。
【００３７】
上述した実施形態では、印刷装置７０による印刷を被加工物５に施した後に、熱転写装置８０による熱転写箔の転写を被加工物５に施しているが、これに限定されない。例えば、熱転写装置８０による熱転写箔の転写を被加工物５に施した後に、印刷装置７０による印刷を被加工物５に施してもよい。
【００３８】
上述した実施形態では、加工システム１０は、印刷装置７０と熱転写装置８０とを備えていたが、これに限定されない。加工システム１０は、例えば、印刷装置７０と熱転写装置８０とが一体となった装置、即ち、印刷装置が箔転写ヘッドを備えている箔転写ヘッド付き印刷装置を備えていてもよい。
【符号の説明】
【００３９】
５  被加工物
６  所定の画像
１０  加工システム
２０  データ作成装置
３０  制御装置
３２  記憶部
３４  印刷領域設定部
３６  印刷データ作成部
３８  転写領域設定部
４０  転写領域編集部
４２  転写データ作成部
７２  インクヘッド
８１  箔転写ヘッド
【図１】
2020161085.tif 000003
【図２】
2020161085.tif 000004
【図３】
2020161085.tif 000005
【図４】
2020161085.tif 000006
【図５】
2020161085.tif 000007
【図６】
2020161085.tif 000008
【図７】
2020161085.tif 000009
【図８】
2020161085.tif 000010